(57)【要約】　　　（修正有）【課題】ディスク状メディアを収容したディスクカートリッジにおいて、外部から伝わる振動によって記録再生信号の品質が劣化するのを防止して、記録再生信号の品質を向上させる。【解決手段】ディスクカートリッジ１は、ハウジング下面側の基準ピン挿入口１２ｃから基準ピン２１が挿入され、この基準ピン２１により基準板２２にハウジングが押しつけられる形で記録再生装置に装填される。基準ピン２１と接する部分に制振部材１４を設け、カートリッジ１の外部から基準ピン２１を介して伝わってくる振動をこの制振部材１４に吸収させて、開口部付近においてディスク状メディアが振動するのを防止することにより、記録再生信号の品質を向上させる。【選択図】　　　　　図３
2004022140.tif 000002
【特許請求の範囲】
【請求項１】
回転可能なディスク状メディアと、該ディスク状メディアを収容する、記録再生装置の記録再生ヘッド用開口部が設けられたハウジングと、前記開口部を開閉するシャッターとを備え、前記記録再生装置への挿入に伴って前記シャッターが、前記記録再生装置が備えているシャッター開閉部材によって前記開口部を開放する位置に移動せしめられるディスクカートリッジにおいて、
前記ハウジングが、前記記録再生装置内に装填されている際に該記録再生装置から伝わる振動を吸収する制振部材を備えたものであることを特徴とするディスクカートリッジ。
【発明の詳細な説明】
【０００１】
【発明の属する技術分野】
本発明は、ケース内に円盤状のディスク状メディアを収容したディスクカートリッジに関するものである。
【０００２】
【従来の技術】
近年、オーディオ機器、デジタルカメラ、デジタルビデオカメラ、パソコン等の電子機器の急速な普及に合わせて、それらに使用される記録媒体（以下、メディアという）も様々なものが提案され、また実用に供されている。これらのメディアについては、可搬性、利便性、経済性等の点から、大容量で安価な小型のメディアの実現が望まれている。
【０００３】
現在、実用に供されているメディアとしては、半導体メモリタイプのもの、ハードディスクタイプのもの、光磁気ディスクタイプのもの、磁気ディスクタイプのもの等、各種のものがあげられるが、その中でも、光ディスクや磁気ディスク等のディスク状メディアのものが小型な割に記録容量も大きく価格も比較的安価なため、現在最も普及している。なお、このようなディスク状メディアは、通常ハウジングに収容されてディスクカートリッジとして使用されている。
【０００４】
ハウジング内にディスク状メディアを収容したディスクカートリッジとして使用されているメディアの一例としては、フロッピー（登録商標）ディスク、ＭＤカートリッジ、ＭＯカートリッジ、ｃｌｉｋ！（登録商標）等が挙げられる。
【０００５】
【発明が解決しようとする課題】
ところで、このようなディスクカートリッジに収容されたディスク状メディアに対する信号の記録もしくは再生は、記録再生装置に設けられた記録再生ヘッドをディスク状メディアの信号記録面に近接させて行われるが、この際、記録再生装置の外部からの振動もしくは内部で発生する機械振動等が、記録再生装置内のディスクカートリッジとの接触部分からディスクカートリッジに伝わってしまうと、カートリッジ内に収容されたディスク状メディアが振動して、記録再生ヘッドとの位置関係が安定しなくなるため、記録信号もしくは再生信号の品質の劣化を生じさせる。
【０００６】
本発明は上記のような問題に鑑みてなされたものであり、ディスク状メディアを収容したディスクカートリッジにおいて、外部から伝わる振動によって記録再生信号の品質が劣化するのを防止して、記録再生信号の品質を向上させることを目的とするものである。
【０００７】
【課題を解決するための手段】
本発明によるディスクカートリッジは、回転可能なディスク状メディアと、ディスク状メディアを収容する、記録再生装置の記録再生ヘッド用開口部が設けられたハウジングと、この開口部を開閉するシャッターとを備え、記録再生装置への挿入に伴ってシャッターが、記録再生装置が備えているシャッター開閉部材によって開口部を開放する位置に移動せしめられるディスクカートリッジにおいて、ハウジングが、記録再生装置内に装填されている際に記録再生装置から伝わる振動を吸収する制振部材を備えたものであることを特徴とするものである。
【０００８】
【発明の効果】
本発明によるディスクカートリッジによれば、ハウジングに制振部材を設けて、この制振部材に、ディスクカートリッジが記録再生装置内に装填されている際に記録再生装置から伝わる振動を吸収させることにより、記録再生装置に設けられた記録再生ヘッドに対するディスク状メディアの振動の発生を防止することができるので、この振動に起因する記録再生信号の劣化を防止して、記録再生信号の品質を向上させることが可能である。
【０００９】
【発明の実施の形態】
以下、図面を参照して本発明の実施の形態について詳細に説明する。図１は本発明の一実施の形態によるディスクカートリッジの構成図、図２はこのディスクカートリッジの制振部材の概略図、図３はこのディスクカートリッジを記録再生装置に装填した際の制振部材付近の断面図である。
【００１０】
ディスクカートリッジ１は、薄い平板状のハウジング１０を有し、このハウジング１０内に、センタコア１６に固着保持された回転可能なディスク状メディア１７が内蔵されている。
【００１１】
上記ハウジング１０は、制振部材保持孔１３ｂ内に制振部材１４を保持したカートリッジボディ１３を、上面板１１と下面板１２とで挟むように構成されている。
【００１２】
上面板１１には、記録再生装置が備える記録再生ヘッドをディスク状メディア１７にアクセスさせるための開口部１１ａが形成されている。
【００１３】
下面板１２には、上記と同様の開口部１２ａ、記録再生装置が備えるスピンドルを挿入するためのスピンドル挿入口１２ｂ、および記録再生装置が備える基準ピン２１を挿入するための４つの基準ピン挿入口１２ｃおよび１２ｄが形成されている。
【００１４】
制振部材１４は、図２に詳細を示すように、上端の直径より下端の直径の方が大きく、一部が開かれた略円筒形状をしており、この円筒の内側が基準ピン保持孔として機能するように形成されている。また、この制振部材１４は、弾性を有する部材により成型されており、円筒の直径を大小するように変形可能となっている。
【００１５】
なお、制振部材１４を成形する材料としては、ゴム、鉛、樹脂等が使用可能ではあるが、この内、ゴムや鉛は形状寸法精度を確保することが困難であり、カートリッジ等の機構部品の一部品として使用するには問題がある。また、樹脂等の高分子材料は振動減衰性能は優れるが、強度が著しく低く、荷重を加えられた状態で放置されると寸法が変化するいわゆるクリープ現象を生じるため、やはり、カートリッジ等の機構部品の一部品として使用するには問題がある。そのため、これらの課題をクリアして安定した制振効果を長期に渡って維持するには、金属が望ましく、いわゆる制振合金を用いることが望ましい。
【００１６】
この制振合金は、複合型、強磁性型、転移型、双晶型に分類されるが、この内、複合型（鋳鉄）や強磁性型（Ｎｉ、Ｆｅ−Ｃｒ、Ｆｅ−Ｃｒ−Ａｌ等）は加工性や磁性の問題により、記録メディア（特に磁気記録メディア）を収容するカートリッジに用いるには不適である。そのため、転移型もしくは双晶型の制振合金を用いることが望ましいが、中でも双晶型のＭ２０５２合金（Ｍｎ７３％、Ｃｕ２０％、Ｎｉ５％、Ｆｅ２％（原子％））は、温度依存性や周波数依存性が低く優れた制振特性を有し、また加工性も良好であるため、本発明のカートリッジに用いるには好適である。
【００１７】
カートリッジボディ１３には、記録再生装置が備える記録再生ヘッドをアクセスさせるための開口部１３ａ、上記制振部材１４を保持する制振部材保持孔１３ｂ、および基準ピン保持孔１３ｃが設けられている。制振部材保持孔１３ｂは、開口部１３ａの両側の角部に設けられており、この制振部材保持孔１３ｂの内寸は、制振部材１４が変形可能なように、制振部材１４の外寸よりも若干大きめとなっている。
【００１８】
また、上記ハウジング１０には、上記開口部１１ａ、１２ｂおよび１３ａを開閉する、断面が略コ字状のシャッター１５が摺動自在に設けられている。このシャッター１５の開閉は、ディスクカートリッジ１を記録再生装置に挿抜する際に、記録再生装置が備えているシャッター開閉部材により自動的に行われる。
【００１９】
上記のように構成されたディスクカートリッジ１は、図３に示すように、ディスクカートリッジ１の下面側の基準ピン挿入口１２ｃおよび１２ｄから基準ピン２１が挿入され、この基準ピン２１により基準板２２にディスクカートリッジ１が押しつけられる形で記録再生装置に装填される。
【００２０】
この際、開口部の両側に配置された基準ピン挿入口１２ｃから挿入された基準ピン２１は、直接カートリッジボディ１３に接せずに、制振部材１４に接するため、カートリッジ１の外部から基準ピン２１を介して伝わってくる振動は、この制振部材１４により吸収されるので、開口部付近においてカートリッジ１内部に収容されたディスク状メディア１７が振動するのを防止することができる。
【００２１】
そのため、記録再生装置に設けられた記録再生ヘッドに対するディスク状メディア１７のブレの発生を防止することができるので、このブレに起因する記録再生信号の劣化を防止して、記録再生信号の品質を向上させることが可能である。
【図面の簡単な説明】
【図１】本発明の一実施の形態によるディスクカートリッジの構成図
【図２】上記ディスクカートリッジの制振部材の概略図
【図３】上記ディスクカートリッジを記録再生装置に装填した際の制振部材付近の断面図
【符号の説明】
１　　ディスクカートリッジ
１０　　ハウジング
１１　　上面板
１２　　下面板
１３　　カートリッジボディ
１４　　制振部材
１５　　シャッター
１６　　センタコア
１７　　ディスク状メディア
２１　　基準ピン
２２　　基準板
【図１】
2004022140.tif 000003
【図２】
2004022140.tif 000004
【図３】
2004022140.tif 000005